(57)【特許請求の範囲】
【請求項１】
外面に電極が形成された圧電体と、
該圧電体を収容するケースと、
前記電極に対向して配置された端子とを具備し、
前記ケースは、
前記圧電体を囲繞し、前記電極に対向して形成された内壁と、
前記端子近傍を除いた該内壁と前記圧電体との第１距離が前記端子近傍における前記内壁と前記圧電体との第２距離よりも大きく形成されたスペースとを有するとともに、前記内壁面に沿う方向でみて一端面側が閉塞される一方、他端面側が開口されることで前記スペースを前記ケースの外側へ開放しており、
前記スペースは、前記圧電体の長手方向でみて該圧電体の略中央位置に少なくとも形成されていることを特徴とする圧電トランス。
【請求項２】
請求項１に記載の圧電トランスであって、
前記圧電体は、略直方体形状に構成されており、
前記スペースは、該圧電体を挟んで対をなして形成され、前記圧電体の厚み方向でみた前記第１距離を有していることを特徴とする圧電トランス。
【請求項３】
請求項１又は２に記載の圧電トランスであって、
前記圧電体は、略直方体形状に構成される一方、前記電極は、該圧電体の厚み方向で対をなす面のうち少なくとも片方の面に形成されており、
前記スペースは、該圧電体の長手方向でみて該圧電体の略中央位置に少なくとも形成され、前記電極を露出させて前記圧電体の厚み方向でみた前記第１距離を有していることを特徴とする圧電トランス。
【請求項４】
請求項１から３のいずれか一項に記載の圧電トランスであって、
前記圧電体は、略直方体形状に構成される一方、前記電極は、該圧電体の厚み方向で対をなす面のうち少なくとも片方の面に形成されており、
前記スペースは、該圧電体の長手方向でみて該圧電体の略端部分に少なくとも形成され、前記電極を露出させて前記圧電体の厚み方向でみた前記第１距離を有していることを特徴とする圧電トランス。
【請求項５】
請求項３又は４に記載の圧電トランスであって、
前記スペースは、該圧電体を挟んで対をなして形成されていることを特徴とする圧電トランス。
【請求項６】
請求項１から５のいずれか一項に記載の圧電トランスであって、
前記ケース内で前記電極及び前記端子の双方に接触し、これらを相互に導通させる導電性を有した弾性部材と
を備えることを特徴とする圧電トランス。
【発明の詳細な説明】
【技術分野】
【０００１】
本発明は、圧電体の機械的振動を利用して所望の出力電圧を得る圧電トランスに関するものである。
【背景技術】
【０００２】
この種の圧電トランスは、例えば液晶バックライト用のインバータ等の高圧用電源に使用され、低電圧の入力で高電圧の出力を発生させる。詳しくは、圧電トランスは、そのケース内に圧電体（圧電振動子）を収容しており、この圧電体は、電気エネルギーを機械エネルギーに変換する機能を有している。そして、圧電体に入力電圧を印加すると、この圧電体が機械的に振動（共振現象）するので、変圧した所望の出力電圧が得られる。
【０００３】
ここで、この圧電体の外面には一次電極及び二次電極がそれぞれ形成され、一次電極は入力側の端子に、二次電極は出力側の端子にそれぞれ接続されており、これら電極と端子との接続に金糸線を用いた構成が知られている（例えば、特許文献１，２参照）。
【０００４】
【特許文献１】特開２００１−２０３４０３号公報
【特許文献２】特開２００１−２７４４７４号公報
【発明の開示】
【発明が解決しようとする課題】
【０００５】
しかしながら、上述した従来の技術では、ケースの内壁と圧電体の電極とが近接配置されており、圧電体をケース内に収容する組み付け作業や、圧電体の検査作業が困難になるとの問題が生ずる。
すなわち、特に、特許文献２の如く内壁と電極との隙間が非常に狭いと、この圧電体をケース内に収容し難くなるため、圧電体の組み付け作業に大きな労力を要するのである。
【０００６】
また、この組み付け後には圧電体の検査が必要になる点にも留意しなければならない。上記の如く内壁と電極との隙間が狭いと、この電極に検査用のプローブ等を取り付け難くなり、圧電体の検査作業も大きな労力を要するからである。
このように、これら内壁と電極との隙間が狭い上記技術では、圧電体の組み付け作業や検査作業の容易化の点については格別な配慮がなされていない。
【０００７】
そこで、本発明の目的は、上記課題を解消し、圧電体の組み付け作業や検査作業の容易化を図る圧電トランスを提供することである。
【課題を解決するための手段】
【０００８】
上記目的を達成するための第１の発明は、外面に電極が形成された圧電体と、圧電体を収容するケースと、電極に対向して配置された端子とを具備し、ケースは、圧電体を囲繞し、電極に対向して形成された内壁と、端子近傍を除いた内壁と圧電体との第１距離が端子近傍における内壁と圧電体との第２距離よりも大きく形成されたスペースとを有する。
【０００９】
本発明は、圧電体の組み付け用或いは検査用のスペースをケースに設ける点に着目したものである。
第１の発明によれば、圧電トランスは、外面に電極が形成された圧電体と、この圧電体の電極に対向して配置された端子とを備えており、圧電体はケースに収容される。また、当該ケースは内壁を備えており、この内壁は、圧電体を囲繞し、この圧電体の電極に対向して形成されている。
【００１０】
そして、これら内壁と電極との間には、圧電体の組み付け用或いは検査用のスペース、つまり、端子近傍における内壁と圧電体との第２距離よりも端子近傍以外における内壁と圧電体との第１距離を大きくしたスペースが形成されているので、圧電体の組み付け時には、例えば圧電体を掴んだ冶具をケース内に挿入し易くなる。しかも、その後の圧電体の検査時にも、例えば電極に検査用のプローブを取り付け易くなる。この結果、従来の如く内壁と電極とが近接配置されていた場合に比して、圧電体の組み付け作業や検査作業が容易になる。
【００１１】
第２の発明は、第１の発明の構成において、圧電体は、略直方体形状に構成されており、スペースは、圧電体を挟んで対をなして形成され、圧電体の厚み方向でみた第１距離を有していることを特徴とする。
第２の発明によれば、第１の発明の作用に加えてさらに、上述のスペースが、圧電体を挟んで対をなして形成され、圧電体の厚み方向でみた第１距離を有していれば、上記冶具は圧電体の両側を掴んでケース内に収容し、その収容後に圧電体から離れた冶具は内壁に衝突することなく、圧電体から逃げられる。よって、圧電体の組み付け作業がより一層容易になる。
【００１２】
第３の発明は、第２の発明の構成において、スペースは、圧電体の長手方向でみて圧電体の略中央位置に少なくとも形成されていることを特徴とする。
第３の発明によれば、第２の発明の作用に加えてさらに、上述のスペースが、圧電体の長手方向でみて圧電体の略中央位置に少なくとも形成されていれば、上記冶具は圧電体の略中央位置を掴んで、安定した状態で圧電体をケース内に収容できる。
【００１３】
第４の発明は、第１から第３の発明の構成において、圧電体は、略直方体形状に構成される一方、電極は、圧電体の厚み方向で対をなす面のうち少なくとも片方の面に形成されており、スペースは、圧電体の長手方向でみて圧電体の略中央位置に少なくとも形成され、電極を露出させて圧電体の厚み方向でみた第１距離を有していることを特徴とする。
第４の発明によれば、第１から第３の発明の作用に加えてさらに、上述のスペースが、圧電体の長手方向でみて圧電体の略中央位置に少なくとも形成され、電極を露出させて圧電体の厚み方向でみた第１距離を有していることから、この電極に上記プローブを取り付け易くなる。よって、圧電体の検査作業がより一層容易になる。
【００１４】
第５の発明は、第１から第４の発明の構成において、圧電体は、略直方体形状に構成される一方、電極は、圧電体の厚み方向で対をなす面のうち少なくとも片方の面に形成されており、スペースは、圧電体の長手方向でみて圧電体の略端部分に少なくとも形成され、電極を露出させて圧電体の厚み方向でみた第１距離を有していることを特徴とする。
第５の発明によれば、第１から第４の発明の作用に加えてさらに、上述のスペースが、圧電体の長手方向でみて圧電体の略端部分に少なくとも形成され、電極を露出させて圧電体の厚み方向でみた第１距離を有しているので、この場合にも電極に上記プローブを取り付け易くなる。
【００１５】
第６の発明は、第４や第５の発明の構成において、スペースは、圧電体を挟んで対をなして形成されていることを特徴とする。
第６の発明によれば、第４や第５の発明の作用に加えてさらに、上述のスペースが、圧電体を挟んで対をなして形成されると、この電極を挟んだ両側のいずれにも上記プローブを取り付け易くなる。
【００１６】
第７の発明は、第１から第６の発明の構成において、ケース内で電極及び端子の双方に接触し、これらを相互に導通させる導電性を有した弾性部材とを備えることを特徴とする。
第７の発明によれば、第１から第６の発明の作用に加えてさらに、これら電極と端子との間には弾性部材が配置される。この弾性部材は導電性を有するものであり、電極及び端子の双方に接触してこれらを相互に導通させることができる。これにより、圧電体の組み付け時には、電極と端子とを金糸線で接続する作業が省略されるし、仮に、その後の圧電体の検査結果によって圧電体の交換が必要になったときにも、半田を用いて金糸線で接続した場合に比して圧電体を容易に交換できる。
【発明の効果】
【００１７】
本発明によれば、圧電体の組み付け用或いは検査用のスペースを内壁と電極との間に形成し、その組み付け作業や検査作業の容易化を達成する圧電トランスを提供することができる。
【発明を実施するための最良の形態】
【００１８】
以下、本発明の実施形態について図面を参照しながら説明する。
図１は、本実施例における圧電トランス１００の分解斜視図であり、図２は、この圧電トランス１００を完成状態で示す水平断面図（図１のＩＩ−ＩＩ線からみた矢視断面図）である。そして、この圧電トランス１００は、例えば液晶バックライト用のインバータ等の高圧用電源に使用され、低電圧の入力で高電圧の出力を発生させる。
【００１９】
図１に示されるように、圧電トランス１００は、主に圧電セラミックス（圧電体）１０２及び樹脂ケース（ケース）１０４を備えており、圧電セラミックス１０２はケース１０４内に収容されている。なお、この図１の上方向はケース１０４の底面側に相当し、圧電トランス１００は、このケース１０４の底面側を回路基板（図示していない）の実装面に向き合わせた状態で実装される。
【００２０】
本実施例の圧電セラミックス１０２は、例えばチタン酸ジルコン酸鉛系セラミックス（ＰＺＴ）等の圧電振動子を分極して構成されている。この圧電セラミックス１０２の形状については特に限定しないが、ここでは一例として略直方体形状（平板状）を挙げることができる。
【００２１】
圧電セラミックス１０２の外面のうち、その厚み方向で対になる両面には、それぞれ一次電極１０６が形成されている。図１には片面のみ示されているが、この反対側の面にも同様の一次電極１０６が形成されている（図２）。また、この圧電セラミックス１０２の外面のうち、その長手方向の後端部分には二次電極１０８が形成されている。本実施例の二次電極１０８は、その厚み方向で対になる一方の面（図１に示された片面）にのみ形成されている（図２）。
【００２２】
これら一次電極１０６及び二次電極１０８は、圧電セラミックス１０２の外面に例えば金属ペーストを用いたスクリーン印刷によって形成されており、圧電セラミックス１０２の幅方向、つまり、上述した長手方向及び厚み方向にそれぞれ略直交する方向でみると、この圧電セラミックス１０２の幅よりも僅かに短い長さで構成されている。なお、一次電極１０６は圧電セラミックス１０２の全長（長手方向）に対して約半分程度の長さで形成されている。
【００２３】
樹脂ケース１０４は、その底面側が開口されたケース本体１０４ｂを有し、この底面側からケース１０４の上面（図１では下方に位置する）に向けて延びた内壁１０４ａ，１０４ａを有している。なお、図には示されていないが、ケース１０４の開口は底面側のみであり、その上面は閉塞されている。また、これら内壁１０４ａは、圧電セラミックス１０２の全長よりも僅かに長くなっており、このケース本体１０４ｂ内には、圧電セラミックス１０２を縦置きの姿勢（胴回りの側端面を天地にした状態）で収容することができる。この圧電セラミックス１０２は、例えばシリコーン接着剤が本体１０４ｂ内の適宜位置に充填されることにより、樹脂ケース１０４に接着される。
【００２４】
また、樹脂ケース１０４には、合計３本の端子１１０，１１２，１１４が設置されている。このうち２本の端子１１０，１１２は、樹脂ケース１０４内で一次電極１０６に対向してそれぞれ配置されている。一方、残りの端子１１４は、樹脂ケース１０４内で二次電極１０８に対向して配置されている。そして、これら３本の端子１１０，１１２，１１４は、ケース１０４の上面側から底面側に向けてケース本体１０４ｂに挿入され、その側面が凹部１０４ｃ，１０４ｄ，１０４ｅ内に露出し、その先端が底面側からさらに突出して配置されている。
【００２５】
ここで、本実施例の内壁１０４ａ，１０４ａは、圧電セラミックス１０２の長手方向でみて、この圧電セラミックス１０２の少なくとも略中央部分がケース本体１０４ｂの外側に向けて一定の幅で大きく抉り取るように形成されている。これにより、内壁１０４ａと圧電セラミックス１０２との間には、図２にも示される如く、所定の容積を有する組み付け・検査用スペース（スペース）１０４ｓ，１０４ｓが圧電セラミックス１０２を挟んで対をなして形成される。
【００２６】
より詳しくは、本実施例の組み付け・検査用スペース１０４ｓは、圧電セラミックス１０２の長手方向でみて、後述する導電体ブロック（弾性部材）１１６と、別の導電体ブロック（弾性部材）１２０やシリコーンゴム１２２との間に形成されている。そして、スペース１０４ｓ，１０４ｓは、圧電セラミックス１０２の厚み方向でみると、当該略中央部分における内壁１０４ａと圧電セラミックス１０２との距離（第１距離）が上述した端子１１０，１１２の近傍における内壁１０４ａと圧電セラミックス１０２との距離（第２距離）、或いは、上述した端子１１４の近傍における内壁１０４ａと圧電セラミックス１０２との距離（第２距離）よりも大きく形成されており、これらスペース１０４ｓ，１０４ｓは、圧電セラミックス１０２の略中央部分及び一次電極１０６，１０６の一部分をケース１０４の底面側に向けて大きく露出させる。
【００２７】
一方、樹脂ケース１０４には、ケース本体１０４ｂ内の４箇所に凹部１０４ｃ，１０４ｄ，１０４ｅ，１０４ｆが設けられている。これら４つの凹部１０４ｃ〜１０４ｆは、いずれも内壁１０４ａから本体１０４ｂの外側に向けて一定の幅で窪ませるように形成されている。
凹部１０４ｃ〜１０４ｆうち、２つの凹部１０４ｃ，１０４ｄは、一次電極１０６側に配置されており、本体１０４ｂ内で圧電セラミックス１０２を挟んで対向する位置関係にあり、凹部１０４ｃ，１０４ｄは互いに同一（対称）形状で構成されている。
【００２８】
また、これら凹部１０４ｃ，１０４ｄは、圧電セラミックス１０２の長手方向に生ずる機械的な振動の節（振幅が零になる位置）に形成されている。より詳しくは、本実施例の凹部１０４ｃ，１０４ｄは、圧電セラミックス１０２の全長λに対し、その長手方向の前端部分からλ／４だけ離れた位置に設けられている。これは、本実施例の圧電セラミックス１０２がその固有共振周波数（λ）の電圧で駆動しているからであり、その際の振動の節は、長手方向の前端部分及び後端部分からそれぞれλ／４だけ離れた位置にあるからである。
【００２９】
一方、二次電極１０８側に配置された凹部１０４ｅ，１０４ｆもまた、圧電セラミックス１０２を挟んで対向する位置関係にあるが、図１で手前側に位置する凹部１０４ｅは、奥側に位置する凹部１０４ｆに比して大きな形状で構成されている。また、これら凹部１０４ｅ，１０４ｆは圧電セラミックス１０２の長手方向の後端部分に設けられているので、より大きな出力電圧を得ることができる。
【００３０】
このように、ケース本体１０４ｂ内に圧電セラミックス１０２が収容された状態において、互いに対をなす２つの凹部１０４ｃ，１０４ｄには、上述の導電体ブロック１１６，１１６がそれぞれ設置され、凹部１０４ｅには、上述の別の導電体ブロック１２０が設置されている。なお、その他の凹部１０４ｆにはブロック状のシリコーンゴム１２２が設置されている。そして、圧電セラミックス１０２は、樹脂ケース１０４内でその上面側から浮かせた状態にて、２つの導電体ブロック１１６，１１６の間、さらに、導電体ブロック１２０とシリコーンゴム１２２との間に挟まれた状態で保持される。
【００３１】
これら導電体ブロック１１６，１２０は、導電性を有した略直方体形状のゴム材料で構成されており、それぞれ母材であるシリコーンゴムの弾性に加えて、そこに練り込まれた導電材料による導電性をも有している。これにより、圧電セラミックス１０２の一次電極１０６及び二次電極１０８と、各端子１１０，１１２，１１４とは、それぞれ導電体ブロック１１６，１２０を介して電気的に接続される。
【００３２】
導電体ブロック１１６，１１６は、樹脂ケース１０４内にて、圧電セラミックス１０２の一次電極１０６と端子１１０，１１２との間にそれぞれ配置されている。換言すれば、導電体ブロック１１６の先端部分が一次電極１０６に接触し、その末端部分が端子１１０或いは端子１１２に接触している。このとき導電体ブロック１１６は、それぞれ対応する凹部１０４ｃ，１０４ｄ内に嵌め込まれ、一次電極１０６と端子１１０，１１２との間で圧縮（圧入）された状態にある。
【００３３】
より具体的には、凹部１０４ｃは、図２にも示される如く、導電体ブロック１１６の４つの側面部分のうち、ケース１０４の垂直方向に向けて延びた２つの側面と、ケース１０４の水平方向に向けて延びた上面（図１では下方に位置する）とを拘束しており、この凹部１０４ｃは計３つの面で導電体ブロック１１６を拘持する。
【００３４】
なお、凹部１０４ｄについても、上記凹部１０４ｃと同様に、導電体ブロック１１６の２つの側面と、ブロック１１６の上面（図１では下方に位置する）とを拘束し、この凹部１０４ｄもまた計３つの面で導電体ブロック１１６を拘持する。また、凹部１０４ｅについても、導電体ブロック１２０の２つの側面と、ブロック１２０の上面（図１では下方に位置する）とを拘束しており、この凹部１０４ｅもまた計３つの面で導電体ブロック１２０を拘持している。
【００３５】
なお、上記の如く二次電極１０８は、圧電セラミックス１０２の片側の面だけに形成されるため、これに対応する導電体ブロック１２０は１つだけで良い。
ただし、導電体ブロック１２０は二次電極１０８と端子１１４との間で圧縮されていることから、樹脂ケース１０４内でのバランスを考慮すると、本実施例のように、二次電極１０８とは反対側の面にもシリコーンゴム１２２を配置することが好ましい。換言すれば、このシリコーンゴム１２２は、ケース１０４内で圧電セラミックス１０２の両面を導電体ブロック１２０とで挟み込み、圧電セラミックス１０２の機械的振動を吸収するのに寄与している。
【００３６】
そこで、凹部１０４ｆについても、略直方体形状のシリコーンゴム１２２の２つの側面と、シリコーンゴム１２２の上面（図１では下方に位置する）とを拘束している。
ここで、上述した圧電セラミックス１０２が、冶具を用いて樹脂ケース１０４に組み付けられた後、上記導電体ブロック１１６，１１６，１２０やシリコーンゴム１２２に接続されると、圧電トランス１００は組み立てられる。
【００３７】
詳しくは、図３に示されるように、冶具１５０の先端部１５２，１５２が、圧電セラミックス１０２の外面のうち、その厚み方向で対になる両面であって、この圧電セラミックス１０２の長手方向でみた略中央位置（一次電極１０６，１０６及び／又はこれら一次電極１０６を有しない面）を掴み、圧電セラミックス１０２をその図示しない待機場所からケース１０４の底面側の上方位置に移動させる。
【００３８】
次いで、図４に示される如く、この圧電セラミックス１０２を掴んだ先端部１５２，１５２がケース１０４の底面側からその上面側に向けて下降し、圧電セラミックス１０２を縦置きの姿勢でケース１０４の上面に載置させる。
続いて、先端部１５２，１５２が相反方向、具体的には、内壁１０４ａ，１０４ａに向けてそれぞれ移動し、圧電セラミックス１０２の両面から離間してスペース１０４ｓ，１０４ｓに配置される（図５）。
【００３９】
その後、図６に示されるように、先端部１５２，１５２はケース１０４の底面側の上方位置に向けて再び移動し、別の圧電セラミックス１０２を掴むべく、圧電セラミックス１０２の上記待機場所に移動する。以後、当該別の圧電セラミックス１０２を別のケース１０４に載置し、上述した組み付け作業が繰り返される。
【００４０】
一方、圧電セラミックス１０２の検査は、樹脂ケース１０４に収容された状態で行われ（図６）、まず、その一次電極１０６に図示しない検査用のプローブ等を取り付ける。詳しくは、例えば、このプローブ等を作業者の指或いは他の冶具で掴み、この指或いは冶具をスペース１０４ｓ，１０４ｓに挿入し、プローブ等を一次電極１０６に取り付ける。そして、圧電セラミックス１０２に入力電圧を印加し、所望の出力電圧が得られるか等の検査を行う。
【００４１】
ところで、上述した組み付け・検査用スペース１０４ｓは、二次電極１０８もケース１０４の底面側に向けて大きく、さらに、一次電極１０６をより大きく露出させても良い。
すなわち、この場合のスペース１０４ｓは、例えば、圧電セラミックス１０２の全長に亘って形成されていても良く、当該スペース１０４ｓ，１０４ｓは、圧電セラミックス１０２の略中央部分及びその長手方向の前端部分に形成された一次電極１０６，１０６の他、二次電極１０８も大きく露出させる。そして、圧電セラミックス１０２の検査では、その一次電極１０６や二次電極１０８に上記プローブ等が取り付けられる。
【００４２】
また、上述した組み付け・検査用スペース１０４ｓは、一次電極１０６のみ、或いは、二次電極１０８のみを大きく露出させても良い。
つまり、この場合のスペース１０４ｓは、圧電セラミックス１０２の長手方向の前端部分に形成された一次電極１０６，１０６だけ、或いは、その後端部分に形成された二次電極１０８だけを大きく露出させることになる。
【００４３】
一方、この組み付け・検査用スペース１０４ｓは、ケース本体１０４ｂの外側に向けて抉り取るように形成される他、切り欠き形状等に形成され、先端部１５２を退避させるため、若しくは、上記検査用のプローブ等を取り付けるために利用されても良い。
ここで、上述した組み付け・検査用スペース１０４ｓ，１０４ｓは、圧電セラミックス１０２の長手方向の軸線における対称位置にて略同一形状で構成されている。しかし、このスペース１０４ｓは、この軸線における対称位置にて異なる形状でそれぞれ構成されていても良いし、又は、この軸線における非対称位置にて略同一形状、若しくは異なる形状でそれぞれ構成されても良い。
【００４４】
さらに、上述した各電極１０６，１０８と端子１１０，１１２，１１４とは、導電体ブロック１１６，１２０に替えて金糸線で接続されていても良い。
つまり、内壁１０４ａと圧電セラミックス１０２との間に上述した組み付け・検査用スペース１０４ｓ，１０４ｓが設けられている限り、各電極１０６，１０８と端子１１０，１１２，１１４との接続は、圧入状態で配置させた導電体ブロック１１６，１２０であっても、半田で接続される金糸線であっても良い。
【００４５】
以上のように、本発明は、圧電セラミックス１０２の組み付け用或いは検査用のスペース１０４ｓをケース１０４に設ける点に着目したものである。
そして、本実施例によれば、圧電トランス１００は、外面に電極１０６，１０８が形成された圧電セラミックス１０２と、この電極１０６，１０８に対向して配置された端子１１０，１１２，１１４とを備えており、この圧電セラミックス１０２は樹脂ケース１０４に収容されている。また、当該ケース１０４は内壁１０４ａを備えており、この内壁１０４ａは、圧電セラミックス１０２を囲繞し、この圧電セラミックス１０２の電極１０６，１０８に対向して形成されている。
【００４６】
ここで、従来のように、内壁１０４ａと電極１０６，１０８とが近接配置されていると、圧電セラミックス１０２の組み付け時には組み付け作業に大きな労力を要する。この圧電セラミックス１０２をケース１０４内に収容し難くなるからである。また、この組み付け後には圧電セラミックス１０２の検査が必要になるが、この場合にも、電極１０６，１０８に検査用のプローブを取り付け難くなるので、検査作業にも大きな労力を要することになる。
【００４７】
しかしながら、本実施例によれば、これら内壁１０４ａと電極１０６，１０８との間には、圧電セラミックス１０２の組み付け用或いは検査用のスペース１０４ｓ、つまり、端子１１０，１１２，１１４の近傍における内壁１０４ａと圧電セラミックス１０２との第２距離よりも、端子１１０，１１２，１１４の近傍を除いた内壁１０４ａと圧電セラミックス１０２との第１距離を大きくしたスペースが形成されている。当該第２距離は、導電体ブロック１１６，１２０やシリコーンゴム１２２を保持し易くするために小さいことが好ましいが、第１距離をこの第２距離よりも大きく形成して作業の労力を減らしている。
【００４８】
すなわち、圧電セラミックス１０２の組み付け時には、圧電セラミックス１０２を掴んだ冶具１５０をケース１０４内に挿入し易くなる。しかも、その後の圧電セラミックス１０２の検査時にも、例えば電極１０６，１０８に検査用のプローブを取り付け易くなる。この結果、上記従来の如く内壁と電極とが近接配置されていた場合に比して、圧電セラミックス１０２の組み付け作業や検査作業が容易になる。
【００４９】
さらに、上述のスペース１０４ｓが、圧電セラミックス１０２を挟んで対をなして形成され、圧電セラミックス１０２の厚み方向でみた第１距離を有していれば、冶具１５０は圧電セラミックス１０２の両側を掴んで、圧電セラミックス１０２をケース１０４内に収容できるし、その収容後には圧電セラミックス１０２から離れた冶具１５０が内壁１０４ａに衝突することなく、圧電セラミックス１０２から逃げられる。よって、圧電セラミックス１０２の組み付け作業がより一層容易になる。
【００５０】
また、上述のスペース１０４ｓが、圧電セラミックス１０２の長手方向でみて圧電セラミックス１０２の略中央位置に少なくとも形成され、圧電セラミックス１０２の厚み方向でみた第１距離を有していれば、冶具１５０は圧電セラミックス１０２の略中央位置を掴んで、安定した状態で圧電セラミックス１０２をケース１０４内に収容できる。
【００５１】
さらに、上述のスペース１０４ｓが、圧電セラミックス１０２の長手方向でみて圧電セラミックス１０２の略中央位置に少なくとも形成されており、電極１０６を露出させて圧電セラミックス１０２の厚み方向でみた第１距離を有していることから、この電極１０６に上記プローブを取り付け易くなる。したがって、圧電セラミックス１０２の検査作業がより一層容易になる。
【００５２】
さらに、上述のスペース１０４ｓが、圧電セラミックス１０２の長手方向でみて圧電セラミックス１０２の前端部分や後端部分に少なくとも形成されており、電極１０６及び／又は電極１０８を露出させて圧電セラミックス１０２の厚み方向でみた第１距離を有しているので、この場合にも電極１０６や電極１０８に上記プローブを取り付け易くなる。
【００５３】
さらにまた、上述のスペース１０４ｓが、圧電セラミックス１０２の長手方向でみて圧電セラミックス１０２を挟んで対をなして形成されると、この電極１０６や電極１０８を挟んだ両側のいずれにも上記プローブを取り付け易くなる。
また、これら電極１０６，１０８と端子１１０，１１２，１１４との間には導電体ブロック１１６，１２０が配置される。この導電体ブロック１１６，１２０は導電性を有し、電極１０６，１０８及び端子１１０，１１２，１１４の双方に接触してこれらを相互に導通させることができる。
【００５４】
よって、圧電セラミックス１０２の組み付け時には、電極１０６，１０８と端子１１０，１１２，１１４とを金糸線で接続する作業が省略されるし、仮に、その後の圧電セラミックス１０２の検査結果によって圧電セラミックス１０２の交換が必要になったときにも、半田を用いて金糸線で接続した場合に比して圧電セラミックス１０２を容易に交換できる。
【００５５】
さらに、圧電トランス１００は凹部１０４ｃ，１０４ｄ，１０４ｅを備えている。そして、この凹部１０４ｃ，１０４ｄ，１０４ｅは、ケース１０４内で導電体ブロック１１６，１２０を拘持、つまり、ケース１０４内で導電体ブロック１１６，１２０が動かないように拘束した状態で保持しており、この導電体ブロック１１６，１２０は電極１０６，１０８と端子１１０，１１２，１１４との間に圧入状態で確実に配置可能になる。
【００５６】
したがって、例えば、圧電トランス１００の組み付け時や、圧電セラミックス１０２の長手方向等に振動が生ずる圧電トランス１００の作動時にも、導電体ブロック１１６，１２０の位置がずれ難くなり、電極１０６，１０８と端子１１０，１１２，１１４との間でその位置が確実に維持される。この結果、圧電トランス１００の信頼性向上に寄与する。
【００５７】
本発明は、上記各実施例に限定されず、特許請求の範囲を逸脱しない範囲で種々の変更を行うことができる。例えば上記実施例の各構成は、その一部を省略したり、上記とは異なるように任意に組み合わせることができる。
また、導電体ブロック１１６，１２０の構成も上記実施例に限定されるものではなく、例えば、この一次側の導電体ブロック１１６は、導電性部材を中間層とし、圧電セラミックス１０２の長手方向に沿った両側に、弾性保持部材の保持層をそれぞれ設けても良い。
【００５８】
さらに、これら導電体ブロック１１６及び二次側の導電体ブロック１２０は、導電性ゴム層とシリコーンゴム層とを圧電セラミックス１０２の幅方向に沿って積層状態（ゼブラ構造）で構成されていても良い。
さらにまた、これら導電体ブロック１１６，１２０は、それぞれ異なる導電材料で構成されていても良い。
【００５９】
また、本実施例の電極１０６は圧電セラミックス１０２の厚み方向で対をなす面にそれぞれ形成されている。しかし、この電極１０６も電極１０８と同様に、その厚み方向で対をなす面のうち片方の面にだけ形成されていても良く、この電極を有する面にのみ上述した導電体ブロックを配置し、電極を有しない面には上述のシリコーンゴムを配置し、これら導電体ブロック及びシリコーンゴムで圧電セラミックス１０２を挟持しても良い。そして、この電極を有する面にのみ上述したスペース１０４ｓを設けても良い。
【００６０】
また、本発明の圧電トランスは、上述の液晶バックライト用のインバータの他、集塵機、複写機、ファクシミリ、イオン発生器、オゾン発生器等の高圧用電源にも当然に使用可能である。
そして、これらいずれの場合にも、上記と同様に、圧電体の組み付け作業や検査作業の容易化を図るとの効果を奏する。
【図面の簡単な説明】
【００６１】
【図１】本実施例における圧電トランスの分解斜視図である。
【図２】図１の圧電トランスを完成状態で示す水平断面図である。
【図３】図２のＩＩＩ−ＩＩＩ線からみた矢視断面図であり、圧電体の組み付け前を示す図である。
【図４】図３のケースに冶具を用いて圧電体を載置した状態を示す図である。
【図５】図４の圧電体から冶具を離間させた状態を示す図である。
【図６】図５のケースから冶具を引き上げた状態を示す図である。
【符号の説明】
【００６２】
１００  圧電トランス
１０２  圧電セラミックス（圧電体）
１０４  樹脂ケース（ケース）
１０４ａ  内壁
１０４ｂ  ケース本体
１０４ｓ  組み付け・検査用スペース（スペース）
１０６  一次電極（電極）
１０８  二次電極（電極）
１１０，１１２，１１４  端子
１１６，１２０  導電体ブロック（弾性部材）
【図１】
0005302545.tif 000002
【図２】
0005302545.tif 000003
【図３】
0005302545.tif 000004
【図４】
0005302545.tif 000005
【図５】
0005302545.tif 000006
【図６】
0005302545.tif 000007